(57)【特許請求の範囲】
【請求項１】
吐出口から吐出液を下方に吐出するノズルを保管するためのノズル保管装置であって、
供給口が設けられる上面が前記ノズルの吐出口に対向する位置に配置される突起部材と、
洗浄液を供給する供給源から前記供給口までを連通する供給配管と、
前記供給配管に接続され、前記突起部材の上面よりも上方で洗浄液を貯留可能な貯留機構と、
前記突起部材の上面上に洗浄液が液盛りされた状態で、かつ、前記貯留機構に洗浄液が貯留された状態となるように前記供給源から洗浄液を供給する洗浄液供給手段とを備える、ノズル保管装置。
【請求項２】
前記貯留機構を介して前記供給配管から洗浄液を吸引する洗浄液吸引手段をさらに備える、請求項１に記載のノズル保管装置。
【請求項３】
前記貯留機構に貯留されている洗浄液の液量を検知する検知手段をさらに備え、
前記洗浄液供給手段は、前記検知手段により検知された液量に基づき、前記供給源から洗浄液を供給することを特徴とする、請求項１または請求項２に記載のノズル保管装置。
【請求項４】
前記吐出液は、有機ＥＬ材料または正孔輸送材料であり、
前記洗浄液は、前記吐出液に含まれる溶媒と同じ溶媒を含むことを特徴とする、請求項１から請求項３のいずれか１項に記載のノズル保管装置。
【請求項５】
請求項１から請求項４のいずれか１項に記載のノズル保管装置を備え、
基板に対して前記ノズルから塗布液を吐出することによって当該基板に塗布を行う塗布装置。
【発明の詳細な説明】
【技術分野】
【０００１】
本発明は、ノズル保管装置および塗布装置に関し、より特定的には、液体を吐出するノズルの非吐出時に当該ノズルを保管するためのノズル保管装置およびそれを用いた塗布装置に関する。
【背景技術】
【０００２】
従来、液体を基板等に塗布する塗布装置等において、液体を吐出するノズルを洗浄するための技術がある。例えば、特許文献１には、洗浄対象となるノズルに対して洗浄液を供給する洗浄溶液供給手段によって当該ノズルを洗浄するノズル洗浄装置が開示されている。このノズル洗浄装置においては、洗浄溶液供給手段は、ノズルの側方の近傍の位置に設けられ、洗浄液の液滴を形成して当該液滴をノズルに対して側方から供給する。また、供給された液滴は、ノズルの近傍に配置される吸引手段によって吸引されることによって回収される。
【特許文献１】特開２００５−３４３３号公報
【発明の開示】
【発明が解決しようとする課題】
【０００３】
ここで、塗布装置を稼働していない時にノズルを保管する場合を考える。ノズルを保管する場合にも、乾燥した塗布液がノズルの孔につまることを防止する等の目的で、ノズルの先端部分が乾燥しないように当該先端部分を液体に付けておく必要がある。上記特許文献１の洗浄装置は、ノズルを保管する場合にも用いることができ、当該洗浄装置によってノズルが乾燥することを防止することができる。しかし、上記特許文献１の洗浄装置では、保管中において液体（洗浄液）を常に供給しなければならず、保管用の液体を多量に浪費してしまうという問題がある。
【０００４】
それ故、本発明の目的は、保管用の液体を効率良く使用してノズルを保管することができるノズル保管装置および塗布装置を提供することである。
【課題を解決するための手段】
【０００５】
本発明は、上記課題を解決するために以下の構成を採用した。すなわち、第１の発明は、吐出口から吐出液を下方に吐出するノズルを保管するためのノズル保管装置である。ノズル保管装置は、突起部材と、供給配管と、貯留機構と、洗浄液供給手段とを備えている。突起部材は、供給口が設けられる上面がノズルの吐出口に対向する位置に配置される。供給配管は、洗浄液を供給する供給源から供給口までを連通する。貯留機構は、供給配管に接続され、突起部材の上面よりも上方で洗浄液を貯留可能である。洗浄液供給手段は、突起部材の上面上に洗浄液が液盛りされた状態で、かつ、貯留機構に洗浄液が貯留された状態となるように供給源から洗浄液を供給する。
【０００６】
第２の発明においては、ノズル保管装置は、貯留機構を介して供給配管から洗浄液を吸引する洗浄液吸引手段をさらに備えていてもよい。
【０００７】
第３の発明においては、ノズル保管装置は、貯留機構に貯留されている洗浄液の液量を検知する検知手段をさらに備えていてもよい。このとき、洗浄液供給手段は、検知手段により検知された液量に基づき、供給源から洗浄液を供給する。
【０００８】
第４の発明においては、吐出液は、有機ＥＬ材料または正孔輸送材料であってもよい。このとき、洗浄液は、吐出液に含まれる溶媒と同じ溶媒を含む。
【０００９】
なお、本発明は、上記第１〜第４の発明におけるノズル保管装置を備え、基板に対してノズルから塗布液を吐出することによって当該基板に塗布を行う塗布装置の形態で提供されてもよい。
【発明の効果】
【００１０】
第１の発明によれば、ノズルの保管時においては、突起部材の上面上には洗浄液が液盛りされた状態となる。これによれば、ノズルの吐出口を洗浄液に接触した状態で保管することができるとともに、洗浄液を常時供給する必要がないので、洗浄液を効率良く使用することができる。さらに、第１の発明によれば、液盛りされた状態の洗浄液が蒸発したとしても、突起部材の上面よりも上方で洗浄液を貯留する貯留機構によって、液盛りされた状態の洗浄液の量を維持することができる。すなわち、突起部材の上面上において洗浄液を長時間液盛りされた状態で維持することができ、ノズルをより長時間保管することができる。
【００１１】
第２の発明によれば、洗浄液吸引手段によって、保管時にノズルに付着した洗浄液をノズルから除去することができる。さらに、洗浄液吸引手段は貯留機構を介して供給口から洗浄液を吸引するので、吸引を行うための吸引口や吸引を行うための配管を別途設ける必要がない。したがって、塗布装置の構成を簡易化することができる。
【００１２】
第３の発明によれば、貯留機構に貯留されている洗浄液の液量を検知手段によって検知することで、突起部材の上面上に液盛りされた洗浄液がなくなった（または少なくなった）ことを検知することができる。したがって、検知手段により検知された液量に基づいて洗浄液を供給することで、突起部材の上面上に液盛りされた洗浄液が蒸発しても、継続してノズルを保管することができる。
【００１３】
第４の発明によれば、有機ＥＬ材料や正孔輸送材料を塗布するノズルを保管するためにノズル保管装置を適用することができる。
【００１４】
第５の発明によれば、基板に対してノズルから塗布液を吐出することによって当該基板に塗布を行う塗布装置にノズル保管装置を適用することができ、当該塗布装置のノズルを、洗浄液を効率良く使用して保管することができる。
【発明を実施するための最良の形態】
【００１５】
（第１の実施形態）
（１）塗布装置の構成
以下、本発明の第１の実施形態に係るノズル保管装置について説明する。第１の実施形態では、ノズル保管装置が、有機ＥＬ（ｅｌｅｃｔｒｏｌｕｍｉｎｅｓｃｅｎｃｅ）表示装置を製造するために用いられる塗布装置の一部として構成される場合を例として説明する。この塗布装置は、ステージ上に載置された基板に対して有機ＥＬ材料や正孔輸送材料等の塗布液をノズルから吐出することによって所定のパターン形状に塗布するものである。なお、塗布装置１０は、有機ＥＬ材料や正孔輸送材料等の複数種類の塗布液を用いて塗布を行うことが可能であるが、以下では、それらの代表として有機ＥＬ材料を塗布液として用いる場合を例として説明を行う。
【００１６】
まず、図１および図２を参照して、塗布装置の全体構成を説明する。図１は、塗布装置１０の構成を示す平面図および正面図である。図１（ａ）は、塗布装置１０を上側から見た図であり、図１（ｂ）は、塗布装置１０を側面からＹ軸正方向の向きに見た図である。また、図２は、塗布装置１０の各部と制御部との接続関係を示す図である。
【００１７】
図１に示すように、塗布装置１０は、ノズルユニット１と、ノズル移動機構２と、保管部３ａおよび３ｂと、液受け部４Ｒおよび４Ｌと、ステージ５と、ステージ移動機構６とを備えている。以下では、２つの保管部３ａおよび３ｂを特に区別しない場合には単に「保管部３」と記載し、２つの液受け部４Ｒおよび４Ｌを特に区別しない場合には単に「液受け部４」と記載するものとする。
【００１８】
また、図２に示すように、塗布装置１０は制御部７を備えている。制御部７は、ノズルユニット１、ノズル移動機構２、ステージ移動機構６、洗浄液供給部８、および、保管部移動機構９と電気的に接続されている。
【００１９】
図１に示すように、ステージ５には塗布処理の対象となる基板Ｗが載置される。基板Ｗには、Ｘ軸方向に平行に等間隔で複数本の溝が形成されている。本塗布装置１０は、この溝に対して有機ＥＬ材料を吐出することによって溝に有機ＥＬ材料を流し込む。なお、図示していないが、ステージ５には、加熱機構や吸着機構が設けられている。加熱機構は、有機ＥＬ材料が塗布された基板Ｗをステージ５上で予備加熱処理するためのものである。吸着機構は、基板Ｗをステージ５上に吸着して固定するためのものである。
【００２０】
ステージ移動機構６は、ステージ５の下側に接続される。具体的には、ステージ移動機構６は、旋回部６１、平行移動テーブル６２、ガイド受け部６３、およびガイド部材６４を有している。ガイド部材６４は、ノズル移動機構２の下方を通るように図１に示すＹ軸方向に延設されて固定される。ガイド受け部６３は、ガイド部材６４上を滑動するようにガイド部材６４上に設置される。平行移動テーブル６２は、ガイド受け部６３の上面に固設される。平行移動テーブル６２は、内部のモータ（図示せず）からの駆動力によってガイド部材６４に沿った図示Ｙ軸方向への移動が可能である。旋回部６１は、平行移動テーブル６２の上面に固設される。旋回部６１は、内部のモータ（図示せず）からの駆動力によってＺ軸を中心とした回動が可能である。上記ステージ５は、旋回部６１の上面に固設される。以上より、ステージ５は、ステージ移動機構６によってＹ軸方向に平行移動が可能であるとともに、Ｚ軸を中心として回転可能である（図１（ａ）に示す矢印参照）。なお、ステージ移動機構６の動作は制御部７によって制御される。
【００２１】
また、ステージ５の上方には塗布機構（ノズルユニット１およびノズル移動機構２）が配置される。ノズル移動機構２はＸ軸方向（ステージ５の載置面と平行な方向）に延びるレール２１を有し、レール２１に沿って移動可能なようにノズルユニット１がノズル移動機構２に接続される。ノズルユニット１は、ノズルから塗布液を吐出することによって基板に対して塗布を行う塗布機構であり、例えば赤色の有機ＥＬ材料の塗布液を吐出する３本のノズル１１，１２，および１３を有する。ノズルユニット１の各ノズル１１〜１３は、塗布液を吐出する向きが（鉛直）下向きとなるようにノズルユニット１の下側に配置される。なお、各ノズル１１〜１３は、Ｙ軸方向に関して少しずれた位置に配置される。具体的には、各ノズル１１〜１３はＹ軸方向に関して、基板Ｗに形成された溝の３列分の長さ（Ｙ軸方向の長さ）だけ間隔を空けて配置されている。ノズルユニット１の移動、および、各ノズル１１〜１３からの有機ＥＬ材料の吐出は、制御部７によって制御される。
【００２２】
レール２１は、Ｘ軸方向について基板Ｗよりも長く構成され、ノズルユニット１は、Ｘ軸方向に関して基板Ｗの幅よりも広い範囲を移動することが可能である（図１（ｂ）に示すノズル移動幅参照）。つまり、ノズルユニット１がレール２１の一端から他端まで移動する場合、ノズルユニット１の各ノズル１１〜１３は、基板Ｗを横断するように移動する。したがって、ノズルユニット１がレール２１の一端から他端まで移動することによって、Ｘ軸方向に関して基板Ｗの一端から他端まで有機ＥＬ材料を塗布することができる。ただし、ノズルユニット１がレール２１の一端から他端まで移動する間に各ノズル１１〜１３から有機ＥＬ材料が吐出されると、基板Ｗに有機ＥＬ材料が塗布されるだけでなく、基板Ｗの外側においても有機ＥＬ材料が吐出されることとなる。そこで、基板Ｗの外側で吐出された塗布液を受ける目的で液受け部４および保管部３が設置されている。液受け部４および保管部３は、ノズルの移動幅（図１（ｂ）参照）よりも内側に設けられる。
【００２３】
２つの液受け部４は、Ｘ軸方向に関して基板Ｗの両側に配置される。液受け部４Ｒは、上段部４１Ｒ、連結部４２Ｒ、および下段部４３Ｒを備えている。上段部４１Ｒは、上面にスリット４４Ｒを有する箱状の形状であり、当該スリット４４ＲはＸ軸方向に沿って延びている。上段部４１Ｒは、各ノズル１１〜１３から吐出される塗布液がスリットを通過するように配置される。上段部４１Ｒの底面の最も低い位置には排出流路（図示しない）が設けられており、上段部４１Ｒ内に受けられた塗布液は当該排出流路から下段部４３Ｒに排出される。ここで、ノズル１１〜１３から吐出された塗布液は、吐出直後は液柱状態（塗布液が直線棒状となっている状態）を保っているものの、吐出されてからの距離が長くなるにつれて液滴化し、さらにはミスト化（液滴化よりも微細な状態）する。そこで、本実施形態では、塗布液が液滴化・ミスト化する前に上段部４１Ｒによって塗布液を回収する。また、上段部４１Ｒ内において塗布液がミスト化したとしても、上段部４１Ｒがスリット４４Ｒを有するので、ミスト化した塗布液が上段部４１Ｒの外部へ舞い上がることを防止することができる。
【００２４】
また、下段部４３Ｒは、連結部４２Ｒによって上段部４１Ｒと連結されている。下段部４３Ｒは、上面が開口した箱状の形状である。下段部４３Ｒは、上段部４１Ｒの排出流路から排出された塗布液を回収するとともに、上段部４１Ｒで回収できなかった塗布液を回収する。例えば、上段部４１Ｒと基板Ｗとの間の隙間から下部へ漏れる塗布液は、下段部４３Ｒで回収される。なお、下段部４３Ｒの底面の最も低い位置には排出流路（図示しない）が設けられており、下段部４３Ｒ内に回収された塗布液は当該排出流路から外部へ排出される。
【００２５】
なお、液受け部４Ｌは、液受け部４Ｒと同様の構成を有している。すなわち、液受け部４Ｌの上段部４１Ｌは液受け部４Ｒの上段部４１Ｒに相当し、液受け部４Ｌの下段部４３Ｌは液受け部４Ｒの下段部４３Ｒに相当する。液受け部４Ｌは、Ｘ軸方向に関する長さが液受け部４Ｒと異なる点を除いて、液受け部４Ｒと同様の機能を有するものである。
【００２６】
保管部３は、塗布装置１０の停止中（塗布が行われない間）において、各ノズル１１〜１３の先端が乾燥しないように各ノズル１１〜１３を保管する。すなわち、塗布装置１０の停止中において各ノズル１１〜１３は保管部３の上方に配置され、保管部３は、各ノズル１１〜１３を洗浄するための洗浄液をノズル１１〜１３の各先端に供給する。なお、洗浄液は、例えば、塗布液が有機溶媒を含む溶液である場合、当該有機溶媒を含む液体（当該有機溶媒の純溶媒でもよい）である。具体的には、塗布液の溶媒がトルエンであれば、洗浄液としてトルエンを用いればよい。
【００２７】
保管部３は、基板Ｗを中心として液受け部４Ｌの外側に配置される。なお、各ノズル１１〜１３から吐出された塗布液を完全に受けることができるように、保管部３と液受け部４Ｌとの間には隙間がないように両者を配置することが好ましい。保管部３は、保管部移動機構９によってＹ軸方向およびＺ軸方向に平行移動が可能である。なお、図１においては保管部３の構成の一部のみを示すものとし、保管部３の詳細な構成は図３および図４に示すものとする。
【００２８】
また、本実施形態では、２つの保管部３ａおよび３ｂが用いられる。２つの保管部３ａおよび３ｂは、洗浄対象となる塗布液の種類に応じて使い分けられる。すなわち、保管部３ａは、例えば水系の正孔輸送材料を吐出するノズルを保管・洗浄する際に用いられ、保管部３ｂは、例えば溶剤系の有機ＥＬ材料を吐出するノズルを保管・洗浄する際に用いられる。各保管部３ａおよび３ｂは、Ｙ軸方向に移動することが可能であり、Ｙ軸方向に移動することによって、いずれか一方の保管部が各ノズル１１〜１３の吐出口の直下位置（ノズルから吐出された塗布液が当たる位置）に位置するように配置される。なお、図１は、保管部３ａを用いる場合の配置を示している。本実施形態のように、複数の保管部を備えることによって、複数種類の塗布液に容易に対応することができる。
【００２９】
図３は、保管部３の構成を示す斜視図である。また、図４は保管部３のＡ−Ａ’断面図である。なお、保管部３ａと保管部３ｂとは同じ構成であるので、図３および図４では保管部３ａと保管部３ｂのうちの一方のみを保管部３として示している。図３に示すように、保管部３は、液回収部３０、突起部材３１〜３３、供給配管３４〜３６、および貯留機構３７〜３９を備えている。
【００３０】
液回収部３０は、各ノズル１１〜１３から吐出された吐出液（塗布液）や、突起部材３１〜３３から供給される洗浄液を回収するための部材である。液回収部３０は、傾斜のついた底面を有する箱状の形状である。底面は、Ｘ軸方向に沿って延びる平坦な部分を有する。当該底面の最下位置には、図示しない排出口が設けられており、底面に付着した塗布液および洗浄液は、傾斜のついた底面上を通って当該排出口から排出される。
【００３１】
なお、図示していないが、液回収部３０の下方には、液受け部４Ｌの下段部４３Ｌと同様の機能を有する部材、すなわち、液回収部３０から排出された塗布液を回収するとともに、液回収部３０で回収できなかった塗布液を回収するための部材を設けておいてもよい。当該部材は、底面を有する箱状の形状であり、当該底面の最も低い位置には排出流路が設けられる。これにより当該部材内に回収された塗布液は当該排出流路から外部へ排出される。また、他の実施形態においては、液受け部４Ｌの下段部４３ＬをＸ軸負方向に大きくして、液回収部３０の下方を下段部４３Ｌによってカバーするようにしてもよい。
【００３２】
液回収部３０の底面には、３つの突起部材３１〜３３が設けられる。３つの突起部材３１〜３３は、３つのノズル１１〜１３に対応しており、対応する各ノズルをそれぞれ保管する。すなわち、突起部材３１はノズル１１に対応し、突起部材３２はノズル１２に対応し、突起部材３３はノズル１３に対応している。また、各ノズル１１〜１３の各吐出口の高さ（Ｚ軸方向に関する位置）は同じであり、３つの突起部材３１〜３３の上面３１ａ〜３３ａのＺ軸方向に関する位置は同じである。３つの突起部材３１〜３３は、Ｘ軸方向に沿ってほぼ１列に配置されているが、ノズル１１〜１３と同様、Ｙ軸方向に関して少しずれて配置されている。
【００３３】
突起部材３１は、保管時においてノズル１１に対向するように配置される上面３１ａを有している。また、上面３１ａには供給口が設けられる。詳細は後述するが、保管時においては供給口から洗浄液が供給されることによって、ノズル１１の先端に洗浄液が付着されることとなる。
【００３４】
供給配管３４は、洗浄液を供給する供給源（図示せず）から突起部材３１の供給口までを連通している。洗浄液が供給源から供給される場合、洗浄液はこの供給配管３４を通って供給口まで供給される。
【００３５】
また、供給配管３４には貯留機構３７が接続される。なお、図３では、図面を見やすくする目的で貯留機構３７〜３９の一部のみを示し、貯留機構に含まれる貯留タンクの構成を省略している。本実施形態では供給配管３４から貯留機構３７の配管が分岐しているので、洗浄液が供給源から供給されると、供給口に洗浄液が供給されるとともに、貯留機構３７にも洗浄液が供給される。貯留機構３７は、突起部材３１の上面３１ａよりも上方で洗浄液を貯留可能な構成である。具体的には、図４に示すように、貯留機構３７は、突起部材３１の上面３１ａよりも上方に配置される貯留タンク３７ａを有している。なお、本実施形態では、貯留機構３７は、供給配管３４から分岐する配管と、それに接続される貯留タンク３７ａとを有する構成であるが、他の実施形態においては、貯留タンク３７ａを有しない構成であってもよい。すなわち、貯留機構３７は、突起部材３１の上面３１ａよりも上方で洗浄液を貯留可能であれば、供給配管３４から分岐する配管のみによって構成されてもよい。
【００３６】
以上においては突起部材３１に関する構成を説明したが、突起部材３２および３３の構成も突起部材３１と同様である。すなわち、突起部材３２および３３は、保管時においてノズル１２および１３にそれぞれ対向するように配置される上面３２ａおよび３３ａを有している。また、上面３２ａおよび３３ａには供給口がそれぞれ１つずつ設けられる。供給配管３５は、上記供給源から上面３２ａの供給口までを連通しており、供給配管３６は、上記供給源から上面３３ａの供給口までを連通している。また、供給配管３５には貯留機構３８が接続され、供給配管３６には貯留機構３９が接続されている。貯留機構３８および３９はそれぞれ、各突起部材３２および３３の上面３２ａおよび３３ａよりも上方で洗浄液を貯留可能であり、具体的には、当該上面３２ａおよび３３ａよりも上方に配置される貯留タンクを有している。また、図２に示す洗浄液供給部８は、供給配管３４〜３６にそれぞれ設けられたポンプ等により構成され、制御部７の指令に従って供給源から洗浄液を供給する。
【００３７】
また、上述したように、保管部３は保管部移動機構９によってＹ軸方向に平行移動が可能である。本実施形態では、保管部３は、塗布動作が行われる時には、液回収部３０の底面が各ノズル１１〜１３の直下位置となる位置にあり、保管時（塗布装置１０の稼働が停止している時）には、各突起部材３１〜３３の上面３１ａ〜３３ａが、それぞれ対応するノズル１１〜１３の吐出口に対向するような位置に移動される。
【００３８】
なお、本実施形態では、保管部３は、ノズル１１〜１３に付着した塗布液を洗浄する目的でも用いられる。すなわち、ノズル１１〜１３には、それから吐出した塗布液が吐出口付近に付着するので、保管部３は、各突起部材３１〜３３の各供給口から湧出する洗浄液を各ノズル１１〜１３に対してかけることによって各ノズル１１〜１３を洗浄することが可能である。
【００３９】
（２）塗布装置における塗布動作
次に、上記のように構成された塗布装置１０の動作を説明する。まず、塗布装置１０の塗布動作の概要について説明する。塗布装置１０における塗布処理の対象となる基板Ｗは、図示しない搬送ロボット等によって塗布装置１０に搬入されてステージ５上に載置される。基板Ｗは、それに形成された複数本の溝がＸ軸方向に平行となるように載置される。なお、塗布装置１０に搬入されてくる基板Ｗには、陽極および正孔輸送層がすでに形成されているものとする。
【００４０】
塗布装置１０に搬入された基板Ｗがステージ５に固定されると、制御部７は、ステージ５およびノズルユニット１を初期位置に移動させる。具体的には、制御部７は、予め定められた初期位置にステージ５を基板Ｗごと移動させるとともに、レール２１の一端にノズルユニット１を移動させる。なお、ステージ５の初期位置は、基板ＷにおいてＹ軸方向に並んで形成された複数本の溝のうちの最もＹ軸正方向側にある溝の真上にノズル１１（各ノズル１１〜１３のうちで最もＹ軸正方向側にあるノズル）が位置する位置である。以上のようにステージ５およびノズルユニット１が初期位置に配置されると、制御部７は塗布動作を開始する。
【００４１】
塗布動作においてまず、制御部７は、ノズルユニット１およびステージ移動機構６を制御し、ノズルユニット１およびステージ移動機構６の動作を開始させる。すなわち、制御部７は、ノズルユニット１のＸ軸方向の移動とステージ５のＹ軸方向の移動とを制御するとともに、各ノズル１１〜１３による有機ＥＬ材料の吐出を制御する。これによって、以降、ノズルユニット１のＸ軸方向の移動動作（第１動作）とステージ５のＹ軸方向の移動動作（第２動作）とが繰り返される。
【００４２】
具体的には、まず、第１動作として、ノズルユニット１の各ノズル１１〜１３から赤色の有機ＥＬ材料が吐出されるとともにノズルユニット１がレール２１の一端から他端へ移動する。なお、上述のように、各ノズル１１〜１３はＹ軸方向に関して、基板Ｗに形成された溝の３列分の長さ（Ｙ軸方向の長さ）だけ間隔を空けて配置されている。そのため、１回の第１動作においては、互いに２列ずつ間隔を空けた３列分の溝について塗布が行われる。これによって、基板Ｗに形成された溝に対する３列分の塗布が完了する。次に、第２動作として、基板Ｗに形成された溝の９列分の長さだけＹ軸の正方向にステージ５がピッチ送りされる。以降、第１動作と第２動作とを繰り返すことによって、基板Ｗへの塗布が３列分ずつ行われる。これによって、基板Ｗに有機ＥＬ材料がストライプ状に塗布されていく。
【００４３】
第１動作および第２動作は、基板Ｗの有効領域（溝が形成されている領域）に対して有機ＥＬ材料が塗布されるまで行われる。なお、この時点では、Ｘ軸方向に関しては基板Ｗの有効領域以外の部分についても有機ＥＬ材料が塗布されるが、有効領域以外の領域に塗布された有機ＥＬ材料は、後述する除去処理によって除去される。以上によって、１枚の基板Ｗに対する塗布動作が終了する。
【００４４】
なお、塗布装置１０における塗布処理が完了した基板Ｗは、図示しない搬送ロボットにより塗布装置１０から搬出される。搬出された基板Ｗに対しては、基板Ｗの有効領域以外の領域に塗布された有機ＥＬ材料が除去される。除去処理は、基板Ｗ上の有機ＥＬ材料を除去する方法であればどのような方法であってもよく、例えば、レーザアブレーションによって有機ＥＬ材料を除去する方法であってもよいし、除去領域に予めマスキングテープを貼付しておく方法であってもよい。そして、除去処理が完了した基板Ｗに対して乾燥処理（ベーク処理）が行われる。以上によって、赤色の有機ＥＬ材料について塗布・乾燥処理が完了したことになる。この後、基板Ｗに対しては、赤色の場合と同様に、緑色および青色の有機ＥＬ材料について塗布・乾燥処理が行われる。すなわち、緑色の有機ＥＬ材料を塗布する処理、塗布された緑色の有機ＥＬ材料を乾燥させる処理、青色の有機ＥＬ材料を塗布する処理、および、塗布された青色の有機ＥＬ材料を乾燥させる処理が順に行われる。このように赤色、緑色および青色の有機ＥＬ材料について塗布・乾燥処理が行われることによって、有機ＥＬ表示装置の発光層が形成される。さらに、発光層が形成された基板に対して例えば真空蒸着法により陰極電極が発光層上に形成されることによって、有機ＥＬ表示装置が製造される。
【００４５】
（３）待機状態へ移行する際における塗布装置の動作
塗布装置１０は、上述した塗布動作を行わない場合（装置が稼働していない場合）、待機状態となる。この待機状態では、ノズルユニット１は所定の位置に退避され、各ノズル１１〜１３は洗浄液に触れた状態で保管される。以下、稼働状態から待機状態へ移行する動作および、待機状態から稼働状態へ移行する動作を説明する。
【００４６】
図５は、稼働状態から待機状態への移行および待機状態から稼働状態への移行に関する塗布装置の動作の流れを示すフローチャートである。図５に示すフローチャートでは、塗布動作を行っていた塗布装置１０に対して稼働を停止する指示が行われた後における塗布装置の動作を示している。
【００４７】
まず、ステップＳ１において、制御部７は、塗布処理時に移動していたノズルユニット１を停止させる。なお、ノズルユニット１は、ノズル移動機構２の両端のうち、保管部３の上方に位置する一端（図１（ａ）に示す左側の一端）で停止する。より具体的には、ノズルユニット１は、各ノズルとそれに対応する各突起部材とのＸ軸方向に関する位置が同じになる位置で停止する。ここでは、当該位置がノズルユニット１の退避位置である。続くステップＳ２において、制御部７は、ノズルユニット１に対して制御指令を与えることによって、各ノズル１１〜１３による塗布液の吐出を停止させる。
【００４８】
次に、ステップＳ３において、制御部７は、保管部移動機構９に制御指令を与えることによって、保管部３の位置を切り替える。具体的には、制御部７は、液回収部３０の底面が各ノズル１１〜１３の直下位置に位置していた保管部３を、各突起部材３１〜３３が各ノズル１１〜１３の直下位置に位置するように移動させる。
【００４９】
ステップＳ３の次のステップＳ４において、制御部７は、洗浄液供給部８に制御指令を与えることによって、供給源から各供給配管を介して各突起部材３１〜３３の供給口へ洗浄液を供給する。このとき、洗浄液供給部８は、各突起部材３１〜３３の上面３１ａ〜３３ａ上に洗浄液が液盛りされる程度に洗浄液を供給する。以下、突起部材３１を例として、ステップＳ４の詳細を説明する。なお、以下では３つの突起部材３１〜３３のうちの突起部材３１を例として説明するが、他の突起部材３２および３３についても突起部材３１と同様である。
【００５０】
図６は、保管時において洗浄液が供給された後の保管部３の状態を示す図である。なお、図６では３つの突起部材３１〜３３のうちで突起部材３１に供給される洗浄液の状態のみを示しているが、洗浄液の状態は、他の突起部材３２および３３においても図６と同様の状態となる。図６に示されるように、ステップＳ４においては、洗浄液供給部８によって洗浄液が供給されることによって、突起部材３１の上面３１ａ上に洗浄液Ｌが液盛りされる。すなわち、上面３１ａの供給口から所定量の洗浄液が湧出するように洗浄液が供給されると、洗浄液は、表面張力によって上面３１ａに対して突出した状態（液盛りされた状態）となる。ステップＳ４においては、洗浄液供給部８は、突起部材３１の上面３１ａ上に洗浄液Ｌが液盛りされた状態となるまで洗浄液を供給し、当該状態になると供給を停止する。具体的には、洗浄液供給部８は、上面３１ａ上に洗浄液が液盛りされた状態となるのに十分な量の洗浄液を供給した後、供給を停止する。なお、供給量が多すぎると、表面張力によって半球面状に液盛りされた状態が崩れ、上面３１ａから液回収部３０の底面へ多少の洗浄液がこぼれてしまうので、洗浄液供給部８は、液盛りされた状態が崩れてしまわない程度に洗浄液を供給することが好ましい。以上のように、本実施形態によれば、保管中において洗浄液を常時供給する必要はないので、消費する洗浄液の量を少なくすることができ、洗浄液を効率的に使用することができる。
【００５１】
また、ステップＳ４において、洗浄液が供給される際、洗浄液は上面３１ａの供給口だけでなく貯留機構３７にも供給される。そして、図６に示すように、突起部材３１の上面３１ａ上に洗浄液Ｌが液盛りされる場合、貯留機構３７内には上面３１ａよりも上方の位置まで（図６では、貯留タンク３７ａ内の高さまで）洗浄液が貯留される状態となる。この状態では、貯留機構３７内の洗浄液の圧力と、上面３１ａ上の洗浄液Ｌが受ける表面張力とのバランスにより（ある高さおよび大きさで）液盛りされていることとなる。
【００５２】
図５の説明に戻り、ステップＳ４の次のステップＳ５において、制御部７は、保管部移動機構９に制御指令を与えることによって、保管部３を上方に移動させる。保管部３は、各突起部材３１〜３３の上面３１ａ〜３３ａが、それぞれ対応する各ノズル１１〜１３の吐出口にそれぞれ所定の間隔を空けて対向するように移動される。この所定の間隔は、予め定められており、具体的には、各突起部材３１〜３３の上面３１ａ〜３３ａ上に液盛りされた洗浄液に各ノズル１１〜１３の下面が少なくとも接触する間隔である。換言すれば、所定の間隔は、上面３１ａ〜３３ａ上に液盛りされた洗浄液の高さよりも小さく設定される。なお、液盛りされた洗浄液の高さおよび大きさは、洗浄液の種類や突起部材の材質（ＰＴＦＥ（ポリテトラフルオロエチレン）等が用いられる）の他、供給口の大きさや、貯留機構における配管の太さ等に依存する。
【００５３】
なお、本実施形態では、保管時（後述する洗浄時においても同様）において各ノズル１１〜１３と各突起部材３１〜３３とが接触しないので、各ノズル１１〜１３と各突起部材３１〜３３とが接触することによって各ノズル１１〜１３の位置がずれてしまうことがない。つまり、各ノズル１１〜１３の位置がずれてしまう結果、塗布動作において塗布液を正確な位置に塗布することができなくなることを防止することができる。
【００５４】
以上のステップＳ５の動作によって、保管部３の各突起部材３１〜３３の上面３１ａ〜３３ａが、各ノズル１１〜１３の吐出口と対向する位置に配置されたこととなり、ノズル１１の吐出口は洗浄液Ｌに接触する状態となる。これによって、吐出口が乾燥しないようにノズル１１〜１３を保管することができる。
【００５５】
ここで、上面３１ａ〜３３ａ上に液盛りされた状態の洗浄液Ｌは蒸発する。したがって、仮に洗浄液を補充する手段がないとすれば、時間が経過するにつれて上面３１ａ〜３３ａ上に液盛りされた洗浄液Ｌの量が次第に減少していく。そして、液盛りされた洗浄液Ｌの量がある量より少なくなると（貯留機構３７〜３９における洗浄液の液面の高さがある位置より低くなると）、ノズルの吐出口が洗浄液に接触しなくなってしまう。このように、洗浄液を補充する手段がなければ、ノズルを洗浄液につけた状態で保管することができなくなってしまうという問題がある。この問題を解決するため、第１の実施形態では、貯留機構３７〜３９を設ける構成を採用している。すなわち、第１の実施形態では、貯留機構３７〜３９には上面３１ａ〜３３ａよりも上方の位置まで洗浄液が貯留されているので、上面３１ａ〜３３ａ上に液盛りされた洗浄液Ｌが減少しそうになると、貯留機構３７〜３９内の洗浄液の圧力によって洗浄液が各突起部材３１〜３３の供給口へ補充される。したがって、第１の実施形態では、洗浄液が蒸発しても上面３１ａ〜３３ａ上において液盛り状態を維持することができ、貯留機構を設けない場合に比べてより長時間ノズルを保管することができる。
【００５６】
図５の説明に戻り、ステップＳ５の次のステップＳ６において、制御部７は、使用者から塗布装置１０を稼働する指示があったか否かを判定する。稼働指示があった場合には制御部７は後述するステップＳ７の動作を実行する。一方、稼働指示がない場合には、制御部７はステップＳ６の動作を再度実行し、稼働指示があるまでステップＳ６の動作を所定時間間隔で繰り返す。すなわち、制御部７は稼働指示があるまで待機し、稼働指示があるとステップＳ７の動作を実行する。
【００５７】
塗布装置１０を稼働する指示があると、ステップＳ７およびＳ８の動作が実行されることによって、塗布装置１０が待機状態から稼働状態となる。すなわち、ステップＳ７において、制御部７は、保管部移動機構９に制御指令を与えることによって、保管部３を下方の位置（ステップＳ５が実行される前の位置）に戻す。これによって、ノズル１１〜１３から十分に離れた位置に保管部３が移動されるので、塗布処理においてノズル１１〜１３が移動してもノズル１１〜１３と保管部３とが衝突することがない。続くステップＳ８において、制御部７は、保管部移動機構９に制御指令を与えることによって、保管部３の位置を切り替える。具体的には、制御部７は、突起部材３１〜３３がノズル１１〜１３の直下位置に位置していた保管部３を、液回収部３０の底面がノズル１１〜１３の直下位置に位置するように移動させる。これによって、塗布処理においてノズル１１〜１３から塗布液が吐出されても保管部３における塗布液の飛び跳ねを抑えることができる。稼働状態へ移行するまでの塗布装置の動作は以上のステップＳ１〜Ｓ８で終了する。以上の動作の後、塗布装置は塗布処理を再開することができる。
【００５８】
以上のように、第１の実施形態によれば、ノズル１１〜１３の保管時において、保管部３の各突起部材３１〜３３の上面３１ａ〜３３ａを各ノズル１１〜１３にそれぞれ対向するように配置するとともに、上面３１ａ〜３３ａ上に洗浄液を液盛りされた状態にする。これによって、各ノズル１１〜１３の吐出口を洗浄液に接触した状態で保管することができるとともに、洗浄液を常時供給する必要がないので、洗浄液を効率良く使用することができる。さらに、第１の実施形態によれば、貯留機構３７〜３９を設けることによって、貯留機構３７〜３９に貯留された洗浄液と、上面３１ａ〜３３ａ上に液盛りされた洗浄液との揚程差によって、上面３１ａ〜３３ａ上に洗浄液が自動的に補充される。これによって、上面３１ａ〜３３ａ上において洗浄液を長時間液盛りされた状態で維持することができ、各ノズル１１〜１３をより長時間保管することができる。
【００５９】
なお、上記保管部３は、各ノズル１１〜１３を洗浄する目的でも用いられる。具体的には、洗浄動作を行う際、制御部７はまず、上記ステップＳ１〜Ｓ３と同様の動作を行う。次に、制御部７は、洗浄液供給部８に制御指令を与えることによって、洗浄液供給部８に洗浄液の供給を行わせる。これによって、洗浄液供給部８は、保管部３の各突起部材３１〜３３の供給口から洗浄液を湧出する。なお、洗浄動作においては、保管時と異なり、洗浄液は常時供給される。次に、制御部７は、上記ステップＳ５と同様の動作を行う。これによって、保管部３の各突起部材３１〜３３の上面３１ａ〜３３ａが、各ノズル１１〜１３の吐出口と対向する位置に配置されたこととなり、ノズル１１の吐出口は洗浄液に接触する状態となる。その結果、各ノズル１１〜１３が洗浄液によって洗浄される。なお、洗浄時において、各突起部材３１〜３３の供給口から湧出された洗浄液は、各突起部材３１〜３３から液回収部３０の底面へ流れていき、液回収部３０の排出口から排出される。洗浄液は、予め定められた所定時間湧出され、これによってノズルの洗浄が終了する。ノズルの洗浄が終了した後は、制御部７が上記ステップＳ７およびＳ８の動作を行うことによって、塗布動作が可能になる。なお、洗浄処理は、塗布装置１０による１日の作業の開始前または終了後に行われてもよいし、所定枚数の基板に対する塗布処理が終了する毎に行われてもよいし、所定時間間隔で行われてもよい。また、洗浄処理は、作業者によって手動で制御部７に指示されたことに応じて開始されてもよいし、所定の条件に従って制御部７によって自動的に開始されるようにしてもよい。以上のように、本実施形態によれば、ノズルの洗浄と保管の両方の動作を保管部３を用いて行うことができる。
【００６０】
（第２の実施形態）
次に、第２の実施形態に係るノズル保管装置について説明する。上述した第１の実施形態においては、待機状態から稼働状態に移行した場合、および、ノズルの洗浄が終了した場合、各ノズル１１〜１３には洗浄液が残って付着している可能性がある。したがって、第１の実施形態においては、各ノズル１１〜１３に残った洗浄液を除去する手段が設けられることが好ましい。第２の実施形態では、洗浄液を除去する手段として、供給口から洗浄液を吸引する洗浄液吸引手段を設ける。さらに、上記貯留機構３７〜３９を用いて洗浄液吸引手段を実現することによって塗布装置の構成を簡易化する。以下、第１の実施形態との相違点を中心に第２の実施形態の詳細を説明する。
【００６１】
図７は、第２の実施形態における塗布装置の各部と制御部との接続関係を示す図である。また、図８は、第２の実施形態における保管部３の構成を示す断面図である。図８は、図４に示すＡ−Ａ’断面図に対応する図である。また、図８は、待機状態における保管部３の状態を示している。なお、図７および図８においては、図２および図４と同じ構成要素については図２および図４と同じ参照符号を付し、詳細な説明を省略する。
【００６２】
図７に示すように、第２の実施形態においては、塗布装置（ノズル保管装置）は洗浄液吸引部１０１をさらに備えている。また、図８に示すように、保管部３の貯留機構３７は吸引配管３７ｂを有する構成である。洗浄液吸引部１０１は吸引ポンプ等により構成され、その動作は制御部７によって制御される。吸引配管３７ｂは貯留タンク３７ａと洗浄液吸引部１０１とを接続する。なお、以上の点を除いて、第２の実施形態における塗布装置の構成は第１の実施形態と同様である。
【００６３】
次に、第２の実施形態における塗布装置の動作を説明する。第２の実施形態においても第１の実施形態と同様、稼働状態から待機状態に移行する場合には図５に示すステップＳ１〜Ｓ５の動作が行われる。ステップＳ１〜Ｓ５の動作によって、保管部３の状態は図８に示す状態となる。保管時においては、この状態で各ノズル１１〜１３が保管される。
【００６４】
また、第２の実施形態の動作は、待機状態から稼働状態へ移行する際において、各ノズル１１〜１３に付着した洗浄液が洗浄液吸引部１０１によって吸引される点で第１の実施形態と異なる。図８を例にとって説明すると、図８に示す待機状態において、使用者からの稼働指示があると、洗浄液吸引部１０１によって各貯留機構３７の洗浄液が吸引される。これによって、上面３１ａ上に液盛りされている洗浄液（ノズル１１に付着している洗浄液）Ｌが供給口へ吸引されて回収される。なお、上記においては、３つの突起部材３１〜３３のうちの突起部材３１を例として説明したが、他の突起部材３２および３３についても突起部材３１と同様の動作が行われる。以上のようにして、第２の実施形態においては、各ノズル１１〜１３に残った洗浄液を洗浄液吸引部１０１によって除去することができる。
【００６５】
具体的には、図５に示すステップＳ６の判定結果が肯定となった後、制御部７は、洗浄液吸引部１０１に制御指令を与えることによって、洗浄液吸引部１０１に吸引動作を行わせる。すなわち、洗浄液吸引部１０１は、貯留機構３７〜３９を介して各供給配管３４〜３６から洗浄液を吸引する。これによって、各上面３１ａ〜３３ａ上の洗浄液が各供給口へ回収される。第２の実施形態においては、洗浄液吸引部１０１による吸引動作の後、ステップＳ７の動作が行われる。
【００６６】
また、洗浄液吸引部１０１による吸引動作は、洗浄処理の終了後、塗布動作を再開する前にも行われる。すなわち、洗浄処理において洗浄液が予め定められた所定時間湧出されると、洗浄液供給部８は洗浄液の供給を停止する。そして、洗浄液吸引部１０１は、保管時と同様の吸引動作を行う。この吸引動作によって、洗浄時に各ノズル１１〜１３に付着した洗浄液を各突起部材３１〜３３の供給口から吸引することができ、洗浄時に各ノズル１１〜１３に付着した洗浄液を除去することができる。以上の吸引動作の後、制御部７が上記ステップＳ７およびＳ８の動作を行うことによって、塗布動作が可能になる。
【００６７】
以上のように、第２の実施形態においては、洗浄液吸引部１０１によって各ノズル１１〜１３に付着した洗浄液を除去することができるので、塗布動作を行う際に各ノズル１１〜１３に洗浄液が残ることがない。さらに、第２の実施形態によれば、洗浄液吸引部１０１によって吸引を行うための配管を貯留機構によって実現している。すなわち、吸引を行うための配管を別途設ける必要がないので、塗布装置の構成を簡易化することができる。
【００６８】
（第３の実施形態）
次に、第３の実施形態に係るノズル保管装置について説明する。上述した第１の実施形態においては、突起部材３１〜３３の上面３１ａ〜３３ａ上に液盛りされた洗浄液が蒸発することによって、貯留機構３７〜３９に貯留された洗浄液の量が次第に減少していった結果、貯留されている洗浄液の量がある量以下になると（貯留機構における洗浄液の液面の高さがある高さ以下になると）、上面３１ａ〜３３ａ上に洗浄液が液盛りされなくなる（通常、貯留機構における洗浄液の液面の高さが上面の高さと等しくなると、上面３１ａ〜３３ａ上に洗浄液が液盛りされなくなる）。したがって、第１の実施形態においては、貯留機構がない構成に比べると長時間ノズルを保管することができるものの、ある程度の時間が経過するとノズルを保管できなくなってしまう。第３の実施形態では、貯留機構３７〜３９に貯留された洗浄液の量を検知し、上面３１ａ〜３３ａ上に洗浄液が液盛りされなく前に洗浄液を再度供給する。これによって、ノズルを保管することができる時間的制限をなくすことができる。以下、第１の実施形態との相違点を中心に第３の実施形態の詳細を説明する。
【００６９】
図９は、第３の実施形態における塗布装置の各部と制御部との接続関係を示す図である。なお、図９においては、図２と同じ構成要素については図２と同じ参照符号を付し、詳細な説明を省略する。図９に示すように、第３の実施形態においては、塗布装置（ノズル保管装置）は液量検知部１０２をさらに備えている。液量検知部１０２は、各貯留機構３７〜３９に設置され、各貯留機構３７〜３９の液量を検知する。具体的には、貯留機構３７〜３９に貯留されている洗浄液の量がある所定量以下になった（貯留機構における洗浄液の液面の高さがある高さ以下になった）ことを検知する。液量検知部１０２による検知結果は、制御部７に通知される。すなわち、貯留機構３７〜３９に貯留されているいずれかの洗浄液の量が予め定められた所定量以下になったことを検知すると、液量検知部１０２は制御部７に対して通知を行う。
【００７０】
図１０は、第３の実施形態における塗布装置の動作の流れを示すフローチャートである。なお、図１０において、図５に示すステップと同じ動作を行うステップについては図５と同じステップ番号を付し、詳細な説明を省略する。
【００７１】
第３の実施形態においても第１の実施形態と同様、稼働状態から待機状態へ移行する際にはステップＳ１〜Ｓ５の動作が行われる。第３の実施形態においては、ステップＳ５の後、ステップＳ１１の動作が行われる。すなわち、ステップＳ１１において、制御部７は、洗浄液を再供給するか否かを判定する。この判定は、具体的には、貯留機構３７〜３９に貯留されているいずれかの洗浄液の量が予め定められた所定量以下になった旨の通知が液量検知部１０２からあったか否かによって行われる。上記通知が液量検知部１０２からあった場合、制御部７は、洗浄液を再供給すると判定し、ステップＳ１２の動作を行う。一方、液量検知部１０２から上記通知がない場合、制御部７は、洗浄液を再供給しないと判定し、ステップＳ６の動作を行う。
【００７２】
ステップＳ１２においては、制御部７は、洗浄液供給部８に制御指令を与えることによって、洗浄液供給部８に洗浄液を再度供給させる。ステップＳ１２で洗浄液が供給される供給量は、予め定められた量としてもよい。このステップＳ１２によって、貯留機構３７〜３９に貯留されている洗浄液の量が上記所定量よりも多くなり、ノズルの保管を継続することができるようになる。ステップＳ１２の後、ステップＳ６の動作が行われる。
【００７３】
第３の実施形態においても、ステップＳ６の動作は第１の実施形態と同様である。すなわち、制御部７は、使用者から塗布装置１０を稼働する指示があったか否かを判定し、稼働指示があった場合には後述するステップＳ７の動作を実行する。一方、稼働指示がない場合には、制御部７はステップＳ１１の動作を再度実行する。したがって、制御部７は、稼働指示があるまでステップＳ１１およびＳ６の動作を所定時間間隔で繰り返し、必要に応じてステップＳ１２の動作を行う。すなわち、制御部７は稼働指示があるまで待機するとともに、洗浄液の再供給が必要と判断した場合（ステップＳ１１でＹＥＳ）には洗浄液の再供給を行う。なお、ステップＳ７およびＳ８の動作は第１の実施形態と同様である。
【００７４】
以上のように、第３の実施形態によれば、ノズルを保管することができなくなること、すなわち、貯留機構３７〜３９に貯留されている洗浄液の量が所定量以下になったことを検知し、検知したことに応じて洗浄液を再供給する。これによれば、供給源の洗浄液がなくならない限り継続してノズルを保管することができる。第３の実施形態によれば、長期間（例えば１日）ノズルを保管する場合でも上面上の洗浄液がなくなることがない。
【００７５】
なお、上記第３の実施形態においては、第２の実施形態において示した洗浄液吸引手段を設けない構成としたが、第３の実施形態においても当該洗浄液吸引手段を設ける構成としてもよい。これによれば、第２の実施形態と同様、簡易な構成で、各ノズル１１〜１３に付着した洗浄液を除去することができる。
【００７６】
また、上記第３の実施形態においては、貯留機構３７〜３９に洗浄液を再供給する配管（ライン）を別に設けるようにしてもよい。図１１は、第３の実施形態における変形例における保管部３の構成を示す図である。図１１に示すように、第３の実施形態の変形例においては、供給配管３４と貯留機構３７との分岐部分と供給源との間にバルブ１０３が設けられる。また、バルブ１０３と供給源との間の供給配管と、貯留タンク３７ａとを接続する再供給配管３７ｃが設けられる。なお、バルブ１０３の開閉は制御部７によって制御される。なお、図１１では、突起部材３１に関する構成のみを示しているが、他の突起部材３２および３３についても図１１と同様にバルブおよび再供給配管が設けられる。
【００７７】
図１１に示す変形例においては、上記ステップＳ４において洗浄液が供給される際には、制御部７によってバルブ１０３が開放される。したがって、供給源から供給される洗浄液は供給配管３４を通って突起部材３１の供給口に供給される。一方、上記ステップＳ１２において洗浄液が再供給される際には、制御部７によってバルブ１０３が閉鎖される。したがって、供給源から供給される洗浄液は、再供給配管３７ｃを通って貯留タンク３７ａに供給される。以上のように、保管時において洗浄液を再供給する場合には、供給源から貯留タンク３７ａに洗浄液が直接供給されるようにしてもよい。なお、以上においては、突起部材３１に関する動作のみを説明したが、他の突起部材３２および３３における動作も突起部材３１に関する動作と同様である。
【００７８】
（その他の変形例）
また、上記第１〜第３の実施形態では、塗布装置は３本のノズル１１〜１３によって塗布液を塗布するものであり、保管部３は各ノズル１１〜１３に対応する３つの突起部材３１〜３３を有していた。ここで、他の実施形態においては、ノズルの本数は何本であってもよい。
【００７９】
上述した実施形態では、本発明に係るノズル保管装置が塗布装置と一体的に構成される場合と例として説明したが、ノズル保管装置は塗布装置と別体で構成されるものであってもよい。また、上述した実施形態では、塗布液として有機ＥＬ材料や正孔輸送材料を塗布液とした有機ＥＬ表示装置の製造装置（塗布装置）を一例にして説明したが、本発明に係るノズル保管装置は他の塗布装置にも利用することができる。例えば、レジスト液やＳＯＧ（Ｓｐｉｎ  Ｏｎ  Ｇｌａｓｓ）液やＰＤＰ（プラズマディスプレイパネル）を製造するのに使用される蛍光材料を塗布する装置にも本ノズル保管装置を利用することができる。また、液晶カラーディスプレイをカラー表示するために液晶セル内に構成されるカラーフィルタを製造するために使用される色材を塗布する装置にも本ノズル保管装置を利用することができる。
【産業上の利用可能性】
【００８０】
本発明は、保管用の液体を効率良く使用してノズルを保管すること等を目的として、例えば、有機ＥＬ表示装置を製造するために用いられる塗布装置として利用することが可能である。
【図面の簡単な説明】
【００８１】
【図１】塗布装置１０の構成を示す平面図および正面図
【図２】塗布装置１０の各部と制御部との接続関係を示す図
【図３】保管部３の構成を示す斜視図
【図４】保管部３のＡ−Ａ’断面図
【図５】稼働状態から待機状態への移行および待機状態から稼働状態への移行に関する塗布装置の動作の流れを示すフローチャート
【図６】保管時において洗浄液が供給された後の保管部３の状態を示す図
【図７】第２の実施形態における塗布装置の各部と制御部との接続関係を示す図
【図８】第２の実施形態における保管部３の構成を示す断面図
【図９】第３の実施形態における塗布装置の各部と制御部との接続関係を示す図
【図１０】第３の実施形態における塗布装置の動作の流れを示すフローチャート
【図１１】第３の実施形態における変形例における保管部３の構成を示す図
【符号の説明】
【００８２】
１  ノズルユニット
２  ノズル移動機構
３  保管部
４  液受け部
５  ステージ
６  ステージ移動機構
７  制御部
８  洗浄液供給部
９  保管部移動機構
１１〜１３  ノズル
３１〜３３  突起部材
３４〜３６  供給配管
３７〜３９  貯留機構
１０１  洗浄液吸引部
１０２  液量検知部
【図１】
0005002369.tif 000002
【図２】
0005002369.tif 000003
【図３】
0005002369.tif 000004
【図４】
0005002369.tif 000005
【図５】
0005002369.tif 000006
【図６】
0005002369.tif 000007
【図７】
0005002369.tif 000008
【図８】
0005002369.tif 000009
【図９】
0005002369.tif 000010
【図１０】
0005002369.tif 000011
【図１１】
0005002369.tif 000012